【手続補正書】
【提出日】平成17年9月16日(2005.9.16)
【手続補正１】
【補正対象書類名】特許請求の範囲
【補正対象項目名】全文
【補正方法】変更
【補正の内容】
【特許請求の範囲】
【請求項１】
上面を有するハウジングと、
前記上面に取り付けられたボール支持部と、
前記上面内で前記ボール支持部の第１の側に取り付けられた第１のアレイの光センサと、
前記第１のアレイのセンサの反対側で、前記上面内で前記ボール支持部の第２の側に取り付けられた第２のアレイの光センサと、
前記上面内に取り付けられ、前記ボール支持部の周りに配置された第３のアレイの光センサと、
前記第１、第２、および第３のアレイのセンサの各センサに接続されて、前記各センサから出力信号を受信し、状態イベントの変化について前記出力信号を監視し、関連するタイムスタンプを伴ったイベント・シーケンスを含むデータ・ファイルを生成する制御装置と、
前記制御装置に接続されて、前記データ・ファイルを受け取り、前記データ・ファイルを使用して、前記ハウジング上でスイングされる用具のスイング軌道角度、クラブ・ヘッド速度、クラブ・ヘッド角度、クラブ・ヘッドの前記ボール支持部に対する横方向の位置合わせ、およびクラブ・ヘッドの高さを計算するようにプログラミングされたコンピュータとを備える、スイング分析システム。
【請求項２】
前記ハウジングの一側部に取り付けられ、前記上面の上方に延在するタワーと、
前記タワーに設置された第４のアレイの光センサであって、前記第４のアレイのセンサの各センサが前記制御装置に接続されて、前記制御装置が前記各センサから出力信号を受信するようになされている、第４のアレイの光センサとをさらに備え、
前記制御装置が、状態イベントの変化について、前記第４のアレイのセンサからの前記出力信号を監視し、関連するタイムスタンプを伴ったイベント・シーケンスを含むデータ・ファイルを生成し、
前記コンピュータが、前記第４のアレイのセンサからのデータ・ファイルを使用して、クラブ・ヘッドのロフト角を計算するようにプログラミングされている、請求項１に記載のスイング分析システム。
【請求項３】
前記ハウジングの一側部に取り付けられ、前記上面の上方に延在する第１のタワーと、
前記ボール支持部に関して前記第１の側部とは反対側で、前記ハウジングの他方の側部に取り付けられ、前記上面の上方に延在する第２のタワーと、
前記第１のタワー上に設置された１列の光エミッタと、
前記第２のタワー上に設置された１列の光検出器であって、前記制御装置に結合されて、前記制御装置が前記１列の光検出器から出力信号を受信するようになされた、１列の光検出器とをさらに備え、
前記制御装置が、状態イベントの変化について前記１列の光検出器からの出力信号を監視し、関連するタイムスタンプを伴ったイベント・シーケンスを含むデータ・ファイルを生成し、
前記コンピュータが、前記１列の光検出器からのデータ・ファイルを使用してクラブ・ヘッドのロフト角を計算するようにプログラミングされている、請求項１に記載のスイング分析システム。
【請求項４】
前記第１のアレイのセンサおよび前記第２のアレイのセンサが共に、前記ハウジング上でスイングされる用具の所期のスイング軌道と交差するような構成で配置されている、請求項１に記載のスイング分析システム。
【請求項５】
前記第１のアレイのセンサおよび前記第２のアレイのセンサが共に、前記所期のスイング軌道に実質的に垂直の線形アレイで配置されている、請求項４に記載のスイング分析システム。
【請求項６】
前記第１のアレイのセンサおよび前記第２のアレイのセンサの各センサが、前記上面に対して垂直に配置されている、請求項１に記載のスイング分析システム。
【請求項７】
前記第３のアレイの各センサが前記ボール支持部に対して角度をつけて向けられている、請求項１に記載のスイング分析システム。
【請求項８】
前記第１、第２、および第３のアレイのセンサの各センサが、エミッタおよび光検出器を備える、請求項１に記載のスイング分析システム。
【請求項９】
前記ハウジングの縁部付近の前記上面内に設置された第４のアレイの光センサをさらに備え、前記第４のアレイのセンサの各センサが、前記制御装置に結合されて、前記制御装置が前記第４のアレイの各センサから出力信号を受信するようになされ、前記制御装置が、前記第４のセンサの１つからの出力信号の受信に応答して、前記第１、第２、および第３のアレイのセンサを作動させる、請求項１に記載のスイング分析システム。
【請求項１０】
前記コンピュータが、前記スイング軌道角度、前記クラブ・ヘッドの横方向の位置合わせ、および前記クラブ・ヘッド角度の、スイング軌道角度、クラブ・ヘッドの横方向の位置合わせ、およびクラブ・ヘッド角度の理想値に対する比率を乗算した前記クラブ・ヘッド速度に基づいて、有効クラブ・ヘッド速度を計算するようにプログラミングされている、請求項１に記載のスイング分析システム。
【請求項１１】
前記コンピュータが、前記有効クラブ・ヘッド速度と履歴データを比較するようにプログラミングされている、請求項１０に記載のスイング分析システム。
【請求項１２】
前記コンピュータが、前記クラブ・ヘッド速度を使用して、有効イベントを偽信号と区別する、請求項１に記載のスイング分析システム。
【請求項１３】
前記コンピュータが、前記コンピュータによって計算されたスイングのパラメータを表示するディスプレイを備える、請求項１に記載のスイング分析システム。
【請求項１４】
前記スイングのパラメータが、テキスト、図形、マルチメディア、またはそれらの組合せからなるグループから選択された形で表示される、請求項１３に記載のスイング分析システム。
【請求項１５】
前記制御装置が前記ハウジング内に配置される、請求項１に記載のスイング分析システム。
【請求項１６】
前記制御装置が、データ・ファイルを生成する際に、前記出力信号の一次導関数を使用する、請求項１に記載のスイング分析システム。
【手続補正２】
【補正対象書類名】明細書
【補正対象項目名】００２６
【補正方法】変更
【補正の内容】
【００２６】
（センサのアナログ信号調節の一部として得られた）センサの出力の一次導関数をタイム・スタンプ・リストのベースにして、コンピュータ１４は、反射テープ１９の通過をアーチファクトから、より良好に区別することができる。これは、クラブ・ヘッド速度が分かり、反射テープ１９の前縁部と後縁部の通過の間の正確なタイミング関係が分かるためである。したがって、システム１０は、明るい太陽光線など強力な光源の背景が存在するところでも機能する。コンピュータ１４は、反射テープ１９がセンサ１２ａ〜ｄの１つの上を移動する時間を使用して、直射日光が存在する場合も、クラブ・ヘッド１７をアーチファクトまたは影と区別することができる。直射日光では、各有効なイベントに対して影および反射からの偽信号がある可能性があるが、１つの「イベント」は、常にテープ１９の前縁部または後縁部がセンサ上を通過することである。一定の幅（３／８インチなど）のテープの使用により、コンピュータ１４は、真の信号とアーチファクトを区別することができる。具体的には、真の信号はすべて、テープの幅および測定されたクラブ・ヘッド速度に対応する前縁部イベントと後縁部イベントの間の継続時間を示す。アーチファクトが偶然、同じ時間間隔で１対のイベントを生成する可能性もあるが、反射テープ１９の３組のセンサ１２ｂ〜ｄ上の通過をシミュレートするような、３つのこうしたイベント対が連続して生じる可能性は低い。したがって、３組のセンサ１２ｂ〜ｄ上で連続して生じる予想された継続時間のイベント対は、実際のクラブ・ヘッドの通過を示すものである。他の信号はすべて、アーチファクトに起因するものであり無視される。